(57)【要約】【課題】  フラットケーブルとコネクタとの接続部から放出される雑音電波を抑制すること。【解決手段】  基板(8)の接地体(7)の先端部をコネクタ本体(1)に接続すると共に、その後端部をアースプレート(9)に接続し、  そのアースプレート(9)を、ケーブル挿通用のスリット(4)に隣接し且つ、そのスリット(4)に並列してハウジング(2)の底部(3)に接触する。【選択図】        図１
2008258018.tif 000002
【特許請求の範囲】
【請求項１】
金属製コネクタ本体(1)の後端に金属製筒状ハウジング(2)が設けられ、そのハウジング(2)の後端の底部(3)に設けたスリット(4)をフラットケーブル(5)が貫通し、そのフラットケーブル(5)の先端と、コネクタ本体(1)に設けた接触端子(6)とが接続されるフラットケーブルのコネクタ接続構造において、
前記ハウジング(2)内に、接地体(7)を有する基板(8)がハウジング(2)の軸線方向に配置され、その接地体(7)の先端部が前記本体(1)に接続されると共に、その後端部にアースプレート(9)が接続され、
そのアースプレート(9)は、前記スリット(4)に隣接し且つ、そのスリット(4)に並列して前記底部(3)に接触されたことを特徴とするフラットケーブルのコネクタ接続構造。
【請求項２】
請求項１において、
前記アースプレート(9)は板バネよりなると共に、その幅が前記スリット(4)の長さに略等しいかそれ以上であり、その後端部が断面弧状に湾曲して、その後端部が前記底部(3)に接触したことを特徴とするフラットケーブルのコネクタ接続構造。
【請求項３】
請求項２において、
前記アースプレート(9)の前記後端部に一以上の欠切部(10)をその幅方向の中間部に有すると共に、そのアースプレート(9)と前記基板(8)の接地体(7)とがそれらを貫通する軸体(11)により接続されたフラットケーブルのコネクタ接続構造。
【請求項４】
請求項３において、
前記軸体(11)がハトメ又はリベットよりなるフラットケーブルのコネクタ接続構造。
【発明の詳細な説明】
【技術分野】
【０００１】
本発明は、野外の受信アンテナと室内のテレビジョンや各種通信機器とを接続するための引き込み用の同軸フラットケーブルであって、その途中をサッシ等の窓枠の隙間に這わせて室内に引き込むタイプのものに関し、特にそのフラットケーブルとコネクタとの接続部構造に関する。
【背景技術】
【０００２】
従来の同軸フラットケーブルは、一例として図７に示す如く、ポリエチレン被覆25の中心に芯線15が挿通され、そのポリエチレン被覆25の外周に鋼線またはアルミ箔からなる被覆撚線17等が被覆され同軸ケーブルを構成する。そして、それらの両側に鋼線よりなる補強線16が接触し、さらにそれらを中心にして一対のアルミラミネートフィルム18が互いに接合されたものである。このようにしてなるフラットケーブル５の両端は、コネクタに接続される。
【０００３】
そのコネクタは一例として、図１０に示す如く、金属製のコネクタ本体１の軸線上に接触座となる接触端子６が配置され、金属製のコネクタ本体１の後端に有底のハウジング２が接続され、ハウジング２の外周に樹脂ケーシング14が被覆されている。そして、その樹脂ケーシング14およびハウジング２の底部にスリット４が形成されている。このスリット４は、フラットケーブル５の外周に略整合し、そのスリット４からフラットケーブル５を挿通し、その芯線15を中継用の基板８（プリント基板）を介して接触端子６に接続する。それと共に、補強線16をコネクタ本体１に接地接続していた。
【０００４】
【特許文献１】特開２００６−１９０５５号公報
【特許文献２】特開平８−２０３３５０号公報
【発明の開示】
【発明が解決しようとする課題】
【０００５】
フラットケーブル５の貫通部は図５のように形成され、そのハウジング２の底部３に設けたスリット４は図６の如く形成されている。
ところが本発明者の実験によれば、このような接続構造を有するコネクタから外部に雑音電波が放出されることが判った。これはハウジング２に設けたスリット４がスリットアンテナになり、そこから外部に放射されるものと考えられる。即ち、スリット４の幅に相当する波長の電波およびその整数倍の電波が、とくに強くそこから外部に放出されるものと考えられる。
【０００６】
本発明者は、従来型フラットケーブルのコネクタ接続構造の雑音電波の放射状況を測定した。これは、図９に示すような試験装置により信号発生器24から被試験用フラットケーブルに１２０ｄＢμＶの電波を供給して行った。そして、被試験体のコネクタにダミー抵抗を接続し、それから３ｍ離れたダイポールアンテナ20で受信し、それをスペクトルアナライザ21で測定した。すると信号発生器24における供給周波数５００ＭＨｚ〜２５００ＭＨｚにおいて不要放射電波として４３〜６１ｄＢμＶの信号が測定された。このような雑音信号は、各種機器に悪影響を及ぼすものであり、可能な限りその値を小さくすることが求められている。
そこで本発明は、係る問題点を解決することを課題とする。
【課題を解決するための手段】
【０００７】
請求項１に記載の本発明は、金属製コネクタ本体(1)の後端に金属製筒状ハウジング(2)が設けられ、そのハウジング(2)の後端の底部(3)に設けたスリット(4)をフラットケーブル(5)が貫通し、そのフラットケーブル(5)の先端と、コネクタ本体(1)に設けた接触端子(6)とが接続されるフラットケーブルのコネクタ接続構造において、
前記ハウジング(2)内に、接地体(7)を有する基板(8)がハウジング(2)の軸線方向に配置され、その接地体(7)の先端部が前記本体(1)に接続されると共に、その後端部にアースプレート(9)が接続され、
そのアースプレート(9)は、前記スリット(4)に隣接し且つ、そのスリット(4)に並列して前記底部(3)に接触されたことを特徴とするフラットケーブルのコネクタ接続構造である。
【０００８】
請求項２に記載の本発明は、請求項１において、
前記アースプレート(9)は板バネよりなると共に、その幅が前記スリット(4)の長さに略等しいかそれ以上であり、その後端部が断面弧状に湾曲して、その後端部が前記底部(3)に接触したことを特徴とするフラットケーブルのコネクタ接続構造である。
【０００９】
請求項３に記載の本発明は、請求項２において、
前記アースプレート(9)の前記後端部に一以上の欠切部(10)をその幅方向の中間部に有すると共に、そのアースプレート(9)と前記基板(8)の接地体(7)とがそれらを貫通する軸体(11)により接続されたフラットケーブルのコネクタ接続構造である。
【００１０】
請求項４に記載の本発明は、請求項３において、
前記軸体(11)がハトメ又はリベットよりなるフラットケーブルのコネクタ接続構造である。
【発明の効果】
【００１１】
本発明のコネクタ接続構造は、アースプレート９がスリット４に隣接し且つ、そのスリット４に並列してハウジング２の底部３に接触されたものであり、そのアースプレート９によってスリット４から漏出する電波を低減させることができる。これは、アースプレート９が存在するものと存在しないものとの実験的比較により確認されたものである。
【００１２】
上記構成において、アースプレート９を板バネにより構成し、その幅をスリット４の長さに略等しいかそれ以上にすると共に、その後端部を断面弧状に湾曲して、その後端部を底部３に接触固定することができる。この場合には、アースプレート９と底部３とを弾発接触させることができるので、より確実にスリット４からの漏洩電波を抑制することができる。
【００１３】
上記構成において、アースプレート９の後端部に一以上の欠切部10をその幅方向の中間部に設けることができる。この場合には、アースプレート９とハウジング２の底部３とを確実に複数の爪状の部材によって複数ヶ所で接触させ、さらに確実にスリット４からの漏洩電波を抑制することができる。
また、基板８の接地体７とアースプレート９とを軸体11が貫通し、それによって両者を接続した場合には、その接続が容易であり量産性の高い接続構造となり得る。
【００１４】
上記構成において、軸体11をハトメ又はリベットにより形成した場合には、さらに製造および組立の容易なフラットケーブルの接続構造を提供できる。
【発明を実施するための最良の形態】
【００１５】
次に、図面に基づいて本発明の実施の形態につき説明する。
図１は本発明の接続構造の軸断面正面図であり、図２はその一部破断平面図、図３は同一部破断底面図である。また、図４は本発明に用いられるアースプレート９の斜視図である。なお、従来技術と同一の構成部品については同一の符号を付する。そして既に、図１０において述べた構造の説明は極力省略する。
【００１６】
この発明の構造の特徴は、アースプレート９の存在である。このアースプレート９は黄銅板、銅板等の導電性の板バネ材からなり、プレス成形により図４の如く形成されている。この例ではその後端部の中間に２つの欠切部10を互いに離間して配置し、夫々の両側に爪状の湾曲部9aを形成する。また、先端部両側には一対の孔19が穿設されている。そしてこの孔19に整合する位置で基板８の後端部およびフラットケーブル５の先端部両側に夫々孔19を穿設しておき、それらを互いに整合させ黄銅等の導電性のハトメからなる軸体11を挿入し、それをカシメることによりアースプレート９と基板８とフラットケーブル５のアルミラミネートフィルム18との間を同時に一体的に締結固定する。
【００１７】
基板８には、プリントされた接地体７が予め配置されている。即ち、基板８にはその両側部に沿ってプリント箔からなる一対のラウンジが接地体７として配置され、その基板８をアースプレート９と共に軸体11によって締結することにより、アースプレート９と基板８の接地体７とが導通接続される。この基板８の接地体７は図８に示す如く、その先端両側に設けた脚部8aと一体をなし、それがコネクタ本体１の基板用スリット28に嵌着し、基板８の接地体７とコネクタ本体１とが導通される。また、より確実にはその接地体７とコネクタ本体１との間をハンダ付け固定することが好ましい。
【００１８】
なお、基板８の幅方向中心位置には図示しない芯線用のラウンドが配置され、フラットケーブル５の芯線15がそのラウンドにハンダ接続部26を介して接続され、そのラウンドは接触端子６にハンダ付け固定されている。なお、接触端子６は受座を形成し、その外側には筒状絶縁体13が被嵌されている。また、コネクタ本体１の先端部外周には外ネジ部12が設けられ、接触端子６に嵌着する図示しないプラグに設けたネジ蓋が外ネジ部12に螺着締結されるものである。なお、フラットケーブル５の補強線16は、図３に示す如くその先端部がハンダ接続部26により基板８の接地体７に接続される。この例では、補強線16は細い鋼線の撚線からなる。そして図１および図２に示す如く、アースプレート９の湾曲部9aがハウジング２の底部３に弾圧接触される。
【００１９】
（漏洩電波の比較実験）
上記のように構成された本発明のフラットケーブルのコネクタ接続構造は、従来のそれに比べて雑音電波が２０から３０ｄＢ以上減衰していることが判った。表１はその測定結果を示す。本発明品は、図１，図２に示す如く、アースプレート９を有するものであり、比較品はアースプレート９の存在しない従来ものであって、アースプレートを除いて他は本発明品と全く同一のものである。
【００２０】
比較実験は次の条件により行う。
図９の如く、信号発生器24に被試験品23を接続する。被試験品23の両端には、本発明によるコネクタと従来のコネクタ（図１０）とが接続される。そして、信号発生器24による信号発生周波数は５００ＭＨｚ，１０００ＭＨｚ，１５００ＭＨｚ，２０００ＭＨｚ，２５００ＭＨｚとし、被試験品23の一方のコネクタには信号発生器24が接続され他方にはダミー抵抗22が接続されたものである。そしてその被試験品23から３ｍ離間した位置にダイポールアンテナ20を配置し、ケーブル27を介してスペクトルアナライザ21により各被試験品23から洩れる信号を受信した。このとき信号発生器24による信号レベルは１２０ｄＢμＶであった。
【００２１】
そして本発明品と比較品とを夫々測定した結果、表１の測定値を得る。このことから、本発明品によるものは比較品に比べて、供給信号５００ＭＨｚでは３５ｄＢμＶ従来品よりノイズが低減すると共に、１０００ＭＨｚでは２３ｄＢμＶ，１５００ＭＨｚでは２９ｄＢμＶ，２０００ＭＨｚでは２９ｄＢμＶ，２５００ＭＨｚでは２５ｄＢμＶのノイズ低減の効果があった。
これは、本発明のアースプレート９の存在による効果であるが、その理由は次によるものと思われる。この種の取付構造において、漏出電波は主としてスリット４の隙間がスリットアンテナとして作用して電波を放出するが、そのスリット４に隣接しアースプレート９がハウジング２およびコネクタ本体１に接地接続されているため、それがそのスリットアンテナの電波放出に影響を与え、それを減衰させているものと考えられる。
【００２２】
【表１】
2008258018.tif 000003
【図面の簡単な説明】
【００２３】
【図１】本発明のフラットケーブルのコネクタ接続構造の要部軸断面正面図。
【図２】同接続構造の一部破断平面図。
【図３】同接続構造の一部破断底面図。
【図４】本発明の接続構造に用いられるアースプレート９の斜視図。
【図５】図１におけるＶ−Ｖ矢視断面略図。
【００２４】
【図６】同接続構造のハウジング２の左側面図。
【図７】同接続構造に用いられるフラットケーブル５の横断面図。
【図８】同接続構造に用いられるコネクタ本体１と基板８との接続状態を示す正面図およびその横断面における分解斜視図。
【図９】本発明の作用効果を確認する実験装置の略図。
【図１０】従来型フラットケーブルのコネクタ接続構造の軸断面正面図。
【符号の説明】
【００２５】
１  コネクタ本体
２  ハウジング
３  底部
４  スリット
５  フラットケーブル
６  接触端子
７  接地体
８  基板
8a  脚部
９  アースプレート
9a  湾曲部
10  欠切部
【００２６】
11  軸体
12  外ネジ部
13  筒状絶縁体
14  樹脂ケーシング
15  芯線
16  補強線
17  被覆撚線
18  アルミラミネートフィルム
19  孔
20  ダイポールアンテナ
【００２７】
21  スペクトルアナライザ
22  ダミー抵抗
23  被試験品
24  信号発生器
25  ポリエチレン被覆
26  接続部
27  ケーブル
28  基板用スリット
【図１】
2008258018.tif 000004
【図２】
2008258018.tif 000005
【図３】
2008258018.tif 000006
【図４】
2008258018.tif 000007
【図５】
2008258018.tif 000008
【図６】
2008258018.tif 000009
【図７】
2008258018.tif 000010
【図８】
2008258018.tif 000011
【図９】
2008258018.tif 000012
【図１０】
2008258018.tif 000013